(57)【要約】【課題】スライド部材が前後方向にスムーズにスライドし、カードを常に確実に前後方向に案内することができ、ロック部材がスムーズに作動して確実にロック及びロック解除動作を行うことができ、カードの挿入及び排出を確実かつ容易に行うことができ、信頼性が高くなるようにする。【解決手段】カードを保持してハウジングの前後方向にスライドするスライド部材と、ハウジングの幅方向にスライドし、ハウジングに収容されたカードをロックするロック部材とを有し、ロック部材は、スライド部材のスライドを制御するスライド制御部を含み、スライド制御部は、ロック部材が第１位置にあるとき、スライド部材をスライド不能にし、ロック部材が第２位置にあるとき、スライド部材をスライド可能にする。【選択図】図１
2014072176.tif 000002
【特許請求の範囲】
【請求項１】
（ａ）端子部材を備えるカードを収容するハウジングと、
（ｂ）該ハウジングに取付けられ、前記カードの端子部材と接触する接続端子とを有するカード用コネクタであって、
（ｃ）前記ハウジングの後端部から前端部に向けて挿入されたカードを保持して前記ハウジングの前後方向にスライドするスライド部材と、
（ｄ）該スライド部材を前記後端部に向けて付勢する第１付勢部材と、
（ｅ）前記ハウジングの後端部に配設され、前記ハウジングの幅方向にスライドし、前記ハウジングに収容されたカードをロックするロック部材と、
（ｆ）該ロック部材を前記ハウジングの幅方向中心に向けて付勢する第２付勢部材とを更に有し、
（ｇ）前記ロック部材は、前記スライド部材のスライドを制御するスライド制御部を含み、該スライド制御部は、前記ロック部材が前記カードの前記ハウジングの前後方向へのスライドを阻止する第１位置にあるとき、前記スライド部材をスライド不能にし、前記ロック部材が前記カードの前記ハウジングの前後方向へのスライドを許容する第２位置にあるとき、前記スライド部材をスライド可能にすることを特徴とするカード用コネクタ。
【請求項２】
前記ロック部材はカード係合部を含み、該カード係合部は、前記ロック部材が第１位置にあるとき、前記ハウジングに収容されたカードの後端の一端に形成された切欠部と係合する請求項１に記載のカード用コネクタ。
【請求項３】
前記ハウジングに取付けられ、少なくとも該ハウジング及び該ハウジングに挿入されたカードの一部を覆う天板部を含むカバー部材を更に有し、
前記ハウジングは、前記後端部に沿って延在するガイド凸部を含み、
前記カバー部材は、前記天板部の前記ガイド凸部と対向する位置に形成されたガイド片を含み、
前記ロック部材は、前記ハウジングの幅方向に延在する溝状のガイド凹部を含み、該ガイド凹部は、前記ガイド凸部及びガイド片とスライド可能に係合する請求項１又は２に記載のカード用コネクタ。
【請求項４】
前記天板部は、前記スライド制御部の位置に応じて前記スライド部材をスライド可能又はスライド不能にするスライド制御中間部材を含み、
該スライド制御中間部材は、前記スライド制御部と当接する係止解除当接部、及び、前記スライド部材の被係止部と係合可能なスライドロック部を含む請求項３に記載のカード用コネクタ。
【請求項５】
前記スライド制御部は、ハウジングの幅方向中心に向けて斜め上方に延在する傾斜部を含み、
前記ロック部材が第１位置から第２位置にスライドすると、前記係止解除当接部は前記傾斜部に沿って移動して上昇し、前記スライドロック部は被係止部との係合を解除する請求項４に記載のカード用コネクタ。
【請求項６】
前記スライド部材は、前記スライド制御部と係合可能なスライド制御凹部を含み、
前記スライド制御部は、前記スライド制御凹部の係合凹部と係合可能な係合凸部、及び、前記スライド部材の被係止部と係合可能なスライドロック部を含む請求項１〜３のいずれか１項に記載のカード用コネクタ。
【請求項７】
前記スライド制御凹部は前記ハウジングの前後方向に延在する主凹部を含み、前記係合凹部は前記主凹部の前端からハウジングの幅方向中心に向けて延出し、
前記スライド制御部は前方に向けて延出する腕部を含み、前記係合凸部は前記腕部の前端において突出し、前記スライドロック部は前記係合凸部の前端面であり、
前記被係止部は前記スライド部材の後端面である請求項６に記載のカード用コネクタ。
【発明の詳細な説明】
【技術分野】
【０００１】
本発明は、カード用コネクタに関するものである。
【背景技術】
【０００２】
従来、パーソナルコンピュータ、携帯電話機、ＰＤＡ（Ｐｅｒｓｏｎａｌ  Ｄｉｇｉｔａｌ  Ａｓｓｉｓｔａｎｔ）、デジタルカメラ、ビデオカメラ、音楽プレーヤ、ゲーム機、車両用ナビゲーション装置等の電子機器においては、ＳＩＭ（Ｓｕｂｓｃｒｉｂｅｒ  Ｉｄｅｎｔｉｔｙ  Ｍｏｄｕｌｅ）カード、ＭＭＣ（Ｒ）（Ｍｕｌｔｉ  Ｍｅｄｉａ  Ｃａｒｄ）、ＳＤ（Ｒ）（Ｓｅｃｕｒｅ  Ｄｉｇｉｔａｌ）カード、ｍｉｎｉＳＤ（Ｒ）カード、ｘＤピクチャーカード（Ｒ）（ｘＤ−Ｐｉｃｔｕｒｅ  ｃａｒｄ）、メモリスティック（Ｒ）、メモリスティックＤｕｏ（Ｒ）、スマートメディア（Ｒ）、Ｔｒａｎｓ−Ｆｌａｓｈ（Ｒ）メモリカード、マイクロＳＤ（Ｒ）カード等の各種メモリカードを利用するために、カード用コネクタを備えている（例えば、特許文献１参照。）。
【０００３】
図２２は従来のカード用コネクタを示す図である。
【０００４】
図において、８１１は、樹脂等から成るカード用コネクタのベース部材であり、８７１は、該ベース部材８１１の上面を覆う金属板から成るカバー部材である。そして、前記ベース部材８１１とカバー部材８７１との間の空間に図示されないＩＣカードを収容する。該ＩＣカードは、下面に図示されない電極パッドが露出している。
【０００５】
そして、前記ベース部材８１１には金属から成る端子８５１が保持される。各端子８５１の接触部８５１ｃは、カバー部材８７１に形成された孔（あな）に対応した位置に配設され、各端子８５１のテール部８５１ｄは、ベース部材８１１の奥側（図における上側）端から延出する。図に示される例においては、ＩＣカードの電極パッドの配列に適合するように、合計６個の端子８５１の接触部８５１ｃが、２列に並ぶように配列されている。
【０００６】
また、８２３は、前後方向にスライド可能に配設されたイジェクト部材であり、コイルスプリング８８２によってＩＣカードを挿入する側、すなわち、手前側に向けて付勢されている。なお、図には、ベース部材８１１とカバー部材８７１との間の空間にＩＣカードが挿入される前の状態であって、イジェクト部材８２３がカード用コネクタの手前側（図における下側）に最も突出した状態が示されている。
【０００７】
前記イジェクト部材８２３は、挿入されるＩＣカードの前端に係合するカード受部８２３ａと、前記ＩＣカードの後端に係合するロック爪（つめ）部８２３ｂと、カバー部材８７１に形成された案内孔（こう）８２２に移動可能に係合する案内ピン８２３ｃとを備える。なお、前記イジェクト部材８２３は、前記案内ピン８２３ｃを中心に回動可能である。また、前記イジェクト部材８２３の外側面（図における左側面）は、カバー部材８７１の側壁に形成されたリターンスプリング８７５の自由端によって内側（図における右側）方向に付勢されている。これにより、前記イジェクト部材８２３の内側面（図における右側面）は、カバー部材８７１に形成された突起片８７６に押付けられる。
【０００８】
カード用コネクタの手前側からベース部材８１１とカバー部材８７１との間の空間にＩＣカードが挿入されると、カード受部８２３ａがＩＣカードの前端に係合し、イジェクト部材８２３は、コイルスプリング８８２の付勢力に抗して、ＩＣカードとともに、カード用コネクタの奥側に進行する。そして、ＩＣカードが奥に到達して挿入が完了すると、突起片８７６は、イジェクト部材８２３のロック爪部８２３ｂに隣接する凹部に進入し、係止面８２３ｄと係合する。すると、リターンスプリング８７５の付勢力によってイジェクト部材８２３が案内ピン８２３ｃを中心にして図における反時計回り方向に回転し、ロック爪部８２３ｂがＩＣカードの後端に係合する。
【０００９】
これにより、イジェクト部材８２３は、突起片８７６によって係止されるので、カード用コネクタの手前側に突出することが防止される。また、ＩＣカードは、その前端及び後端がイジェクト部材８２３のカード受部８２３ａ及びロック爪部８２３ｂによって係合されるので、イジェクト部材８２３と同様に、カード用コネクタの手前側に突出することが防止される。すなわち、ＩＣカードの不要な飛出しが防止される。なお、ＩＣカードをカード用コネクタから取出す際には、ロック爪部８２３ｂを図における左方向に移動させると、該ロック爪部８２３ｂによるＩＣカードの後端の係合が解除されるとともに、突起片８７６によるイジェクト部材８２３の係止が解除されるので、コイルスプリング８８２の付勢力によって、イジェクト部材８２３とともにＩＣカードがカード用コネクタの手前側に押出されて排出される。
【先行技術文献】
【特許文献】
【００１０】
【特許文献１】特開２００７−３１７４５０号公報
【発明の概要】
【発明が解決しようとする課題】
【００１１】
しかしながら、前記従来のカード用コネクタにおいては、イジェクト部材８２３が案内ピン８２３ｃを中心に回動することによって、イジェクト部材８２３の前端及び後端に形成されたカード受部８２３ａ及びロック爪部８２３ｂが幅方向に移動して、ＩＣカードの係合及び係合解除を行うようになっている。そのため、イジェクト部材８２３とＩＣカードとの幅方向に関する相対的な位置関係を厳密に規定することが不可能であり、案内ピン８２３ｃを案内する案内孔８２２を幅広に形成し、イジェクト部材８２３全体が幅方向に相当程度変位可能となっている。すなわち、イジェクト部材８２３に幅方向の大きな遊びを持たせている。
【００１２】
その結果、イジェクト部材８２３によるＩＣカードの係合及び係合解除が不安定なものとなり、ＩＣカードの挿入及び排出の動作を常時正確に行うことが不可能となる。また、イジェクト部材８２３は、ベース部材８１１とカバー部材８７１との間を前後にスライドする際に、案内ピン８２３ｃを中心に回動するので、スムーズにスライドすることができない恐れがあり、ＩＣカードの挿入及び排出の動作が更に不正確なものとなる。
【００１３】
本発明は、前記従来のカード用コネクタの問題点を解決して、スライド部材が前後方向にスムーズにスライドし、カードを常に確実に前後方向に案内することができ、ロック部材がスムーズに作動して確実にロック及びロック解除動作を行うことができ、カードの挿入及び排出を確実かつ容易に行うことができ、信頼性の高いカード用コネクタを提供することを目的とする。
【課題を解決するための手段】
【００１４】
そのために、本発明のカード用コネクタにおいては、端子部材を備えるカードを収容するハウジングと、該ハウジングに取付けられ、前記カードの端子部材と接触する接続端子とを有するカード用コネクタであって、前記ハウジングの後端部から前端部に向けて挿入されたカードを保持して前記ハウジングの前後方向にスライドするスライド部材と、該スライド部材を前記後端部に向けて付勢する第１付勢部材と、前記ハウジングの後端部に配設され、前記ハウジングの幅方向にスライドし、前記ハウジングに収容されたカードをロックするロック部材と、該ロック部材を前記ハウジングの幅方向中心に向けて付勢する第２付勢部材とを更に有し、前記ロック部材は、前記スライド部材のスライドを制御するスライド制御部を含み、該スライド制御部は、前記ロック部材が前記カードの前記ハウジングの前後方向へのスライドを阻止する第１位置にあるとき、前記スライド部材をスライド不能にし、前記ロック部材が前記カードの前記ハウジングの前後方向へのスライドを許容する第２位置にあるとき、前記スライド部材をスライド可能にする。
【００１５】
本発明の他のカード用コネクタにおいては、さらに、前記ロック部材はカード係合部を含み、該カード係合部は、前記ロック部材が第１位置にあるとき、前記ハウジングに収容されたカードの後端の一端に形成された切欠部と係合する。
【００１６】
本発明の更に他のカード用コネクタにおいては、さらに、前記ハウジングに取付けられ、少なくとも該ハウジング及び該ハウジングに挿入されたカードの一部を覆う天板部を含むカバー部材を更に有し、前記ハウジングは、前記後端部に沿って延在するガイド凸部を含み、前記カバー部材は、前記天板部の前記ガイド凸部と対向する位置に形成されたガイド片を含み、前記ロック部材は、前記ハウジングの幅方向に延在する溝状のガイド凹部を含み、該ガイド凹部は、前記ガイド凸部及びガイド片とスライド可能に係合する。
【００１７】
本発明の更に他のカード用コネクタにおいては、さらに、前記天板部は、前記スライド制御部の位置に応じて前記スライド部材をスライド可能又はスライド不能にするスライド制御中間部材を含み、該スライド制御中間部材は、前記スライド制御部と当接する係止解除当接部、及び、前記スライド部材の被係止部と係合可能なスライドロック部を含む。
【００１８】
本発明の更に他のカード用コネクタにおいては、さらに、前記スライド制御部は、ハウジングの幅方向中心に向けて斜め上方に延在する傾斜部を含み、前記ロック部材が第１位置から第２位置にスライドすると、前記係止解除当接部は前記傾斜部に沿って移動して上昇し、前記スライドロック部は被係止部との係合を解除する。
【００１９】
本発明の更に他のカード用コネクタにおいては、さらに、前記スライド部材は、前記スライド制御部と係合可能なスライド制御凹部を含み、前記スライド制御部は、前記スライド制御凹部の係合凹部と係合可能な係合凸部、及び、前記スライド部材の被係止部と係合可能なスライドロック部を含む。
【００２０】
本発明の更に他のカード用コネクタにおいては、さらに、前記スライド制御凹部は前記ハウジングの前後方向に延在する主凹部を含み、前記係合凹部は前記主凹部の前端からハウジングの幅方向中心に向けて延出し、前記スライド制御部は前方に向けて延出する腕部を含み、前記係合凸部は前記腕部の前端において突出し、前記スライドロック部は前記係合凸部の前端面であり、前記被係止部は前記スライド部材の後端面である。
【発明の効果】
【００２１】
本発明によれば、カード用コネクタは、スライド部材が前後方向にスムーズにスライドするので、カードを常に確実に前後方向に案内することができる。また、ロック部材がスムーズに作動して確実にロック及びロック解除動作を行うことができるので、カードの挿入及び排出を確実かつ容易に行うことができ、高い信頼性を得ることができる。
【図面の簡単な説明】
【００２２】
【図１】本発明の第１の実施の形態におけるカード用コネクタを示す斜視図であって、（ａ）はカードを挿入していない状態を示す図、（ｂ）はカードを挿入した状態を示す図である。
【図２】本発明の第１の実施の形態におけるカード用コネクタを示す二面図であって、（ａ）は上面図、（ｂ）は側面図である。
【図３】本発明の第１の実施の形態におけるカード用コネクタのシェルを取除いた状態を示す平面図である。
【図４】本発明の第１の実施の形態におけるカード用コネクタのシェルを取除いた状態を示す斜視図である。
【図５】本発明の第１の実施の形態におけるカード用コネクタのロック部材を示す斜視図であって、（ａ）は上方から観た図、（ｂ）及び（ｃ）は下方から観た図である。
【図６】本発明の第１の実施の形態におけるカード用コネクタのスライド部材を示す斜視図であって、（ａ）は上方から観た図、（ｂ）及び（ｃ）は下方から観た図である。
【図７】本発明の第１の実施の形態におけるカード用コネクタの第２付勢部材の変形例を示す要部拡大斜視図であって、（ａ）は第１の変形例を示す図、（ｂ）は第２の変形例を示す図である。
【図８】本発明の第１の実施の形態におけるカードを挿入途中の状態を説明する図であって、（ａ）は上方から観た透視図、（ｂ）は係止ばね部材の動作を示す要部の側面図、（ｃ）は係止ばね部材の動作を示す要部の斜め上方から観た透視図である。
【図９】本発明の第１の実施の形態におけるカードの挿入が完了した状態を説明する図であって、（ａ）は上方から観た透視図、（ｂ）は係止ばね部材の動作を示す要部の側面図、（ｃ）は係止ばね部材の動作を示す要部の斜め上方から観た透視図、（ｄ）はロック部材の動作を示す要部の上面図である。
【図１０】本発明の第１の実施の形態におけるカードの排出開始の状態を説明する図であって、（ａ）は上方から観た透視図、（ｂ）は係止ばね部材の動作を示す要部の側面図、（ｃ）は係止ばね部材の動作を示す要部の斜め上方から観た透視図である。
【図１１】本発明の第１の実施の形態におけるカードの排出が完了した状態を説明する図であって、（ａ）は上方から観た透視図、（ｂ）は係止ばね部材の動作を示す要部の側面図、（ｃ）は係止ばね部材の動作を示す要部の斜め上方から観た透視図である。
【図１２】本発明の第２の実施の形態におけるカード用コネクタを示す斜視図であって、（ａ）はカードを挿入していない状態を示す図、（ｂ）はカードを挿入した状態を示す図である。
【図１３】本発明の第２の実施の形態におけるカード用コネクタを示す二面図であって、（ａ）は上面図、（ｂ）は側面図である。
【図１４】本発明の第２の実施の形態におけるカード用コネクタのシェルを取除いた状態を示す平面図である。
【図１５】本発明の第２の実施の形態におけるカード用コネクタのシェルを取除いた状態を示す斜視図である。
【図１６】本発明の第２の実施の形態におけるカード用コネクタのロック部材を示す斜視図であって、（ａ）は上方から観た図、（ｂ）及び（ｃ）は下方から観た図である。
【図１７】本発明の第２の実施の形態におけるカード用コネクタのスライド部材を示す斜視図であって、（ａ）は上方から観た図、（ｂ）及び（ｃ）は下方から観た図である。
【図１８】本発明の第２の実施の形態におけるカードを挿入途中の状態を説明する図であって、（ａ）及び（ｂ）はシェルを取外した状態の上面図及び斜視図である。
【図１９】本発明の第２の実施の形態におけるカードの挿入が完了した状態を説明する図であって、（ａ）及び（ｂ）はシェルを取外した状態の上面図及び斜視図である。
【図２０】本発明の第２の実施の形態におけるカードの排出開始の状態を説明する図であって、（ａ）及び（ｂ）はシェルを取外した状態の上面図及び斜視図である。
【図２１】本発明の第２の実施の形態におけるカードの排出が完了した状態を説明する図であって、（ａ）及び（ｂ）はシェルを取外した状態の上面図及び斜視図である。
【図２２】従来のカード用コネクタを示す図である。
【発明を実施するための形態】
【００２３】
以下、本発明の実施の形態について図面を参照しながら詳細に説明する。
【００２４】
図１は本発明の第１の実施の形態におけるカード用コネクタを示す斜視図、図２は本発明の第１の実施の形態におけるカード用コネクタを示す二面図、図３は本発明の第１の実施の形態におけるカード用コネクタのシェルを取除いた状態を示す平面図、図４は本発明の第１の実施の形態におけるカード用コネクタのシェルを取除いた状態を示す斜視図、図５は本発明の第１の実施の形態におけるカード用コネクタのロック部材を示す斜視図、図６は本発明の第１の実施の形態におけるカード用コネクタのスライド部材を示す斜視図、図７は本発明の第１の実施の形態におけるカード用コネクタの第２付勢部材の変形例を示す要部拡大斜視図である。なお、図１において、（ａ）はカードを挿入していない状態を示す図、（ｂ）はカードを挿入した状態を示す図であり、図２において、（ａ）は上面図、（ｂ）は側面図であり、図５及び６において、（ａ）は上方から観た図、（ｂ）及び（ｃ）は下方から観た図であり、図７において、（ａ）は第１の変形例を示す図、（ｂ）は第２の変形例を示す図である。
【００２５】
図において、１は本実施の形態におけるカード用コネクタであり、図示されない電子機器に取付けられる。そして、前記カード用コネクタ１の内部にはカード１０１が挿入され、前記カード用コネクタ１を介して、前記電子機器にカード１０１が装着される。なお、前記電子機器は、例えば、パーソナルコンピュータ、携帯電話機、ＰＤＡ、デジタルカメラ、ビデオカメラ、音楽プレーヤ、ゲーム機、車両用ナビゲーション装置等であるが、いかなる種類の機器であってもよい。
【００２６】
前記カード１０１は、例えば、ＳＩＭカード、マイクロＳＩＭ（ｍｉｃｒｏＳＩＭ）カード、ＭＭＣ（Ｒ）、ＳＤ（Ｒ）カード、ｍｉｎｉＳＤ（Ｒ）カード、ｘＤピクチャーカード（Ｒ）、メモリスティック（Ｒ）、メモリスティックＤｕｏ（Ｒ）、スマートメディア（Ｒ）、Ｔｒａｎｓ−Ｆｌａｓｈ（Ｒ）メモリカード、マイクロＳＤ（Ｒ）カード等のメモリカードであり、いかなる種類のカードであってもよいが、本実施の形態においては、４ＦＦ（４ｔｈ  Ｆｏｒｍ  Ｆａｃｔｏｒ）カード、いわゆる、ナノＳＩＭ（ｎａｎｏＳＩＭ）カードであるものとして説明する。
【００２７】
本実施の形態において、前記カード１０１は、全体的に略矩（く）形の板状の形状を有し、後述される前端１１１ｆ寄りの部分の下面（上面１１１ｂの反対側の面）に、端子部材である電極パッドとしての図示されないコンタクトパッドが、複数、前端１１１ｆに沿って並ぶように配設されている。また、後端１１１ｒ寄りの部分の下面にも、コンタクトパッドが、複数、後端１１１ｒに沿って並ぶように配設されている。すなわち、コンタクトパッドは、カード１０１の幅方向に延在する２本の列を成すように配列されている。なお、上面１１１ｂには、コンタクトパッドは、配設されていない。さらに、後端１１１ｒの左右両端と側縁とを結合する角部の一方、具体的には、上面１１１ｂにおける後方左角部には、斜めに切欠かれた切欠部１１１ｃが形成されている。
【００２８】
なお、本実施の形態において、カード用コネクタ１及びカード１０１の各部の構成及び動作を説明するために使用される上、下、左、右、前、後等の方向を示す表現は、絶対的なものでなく相対的なものであり、カード用コネクタ１、カード１０１又はそれらの部品が図に示される姿勢である場合に適切であるが、カード用コネクタ１、カード１０１又はそれらの部品の姿勢が変化した場合には、姿勢の変化に応じて変更して解釈されるべきものである。
【００２９】
ここで、前記カード用コネクタ１は、合成樹脂等の絶縁性材料によって一体的に成形されたハウジング１１と、金属等の導電性材料から成る板材に打抜き、折曲げ等の加工を施すことによって一体的に成形され、ハウジング１１の上側に取付けられたカバー部材としてのシェル７１とを有する。該シェル７１は、ハウジング１１及び該ハウジング１１に挿入されたカード１０１の少なくとも一部の上方を覆うようになっている。そして、前記カード用コネクタ１は、概略、扁（へん）平な直方体形状を備え、前記電子機器に取付けられ、後方（図１における右上方）の挿入口１８から、ハウジング１１にカード１０１が挿入される。具体的には、ハウジング１１とシェル７１との間に形成される空間内にカード１０１が挿入される。
【００３０】
図に示されるように、ハウジング１１は、略矩形の平板状部材である底壁部１１ｂと、ハウジング１１におけるカード１０１の挿入方向前方の縁部、すなわち、前端縁１１ｆに沿って延在し、底壁部１１ｂから立設する奥壁部１１ａと、底壁部１１ｂの左右の側縁に沿って前後方向に延在する側壁部１１ｅとを有する。
【００３１】
ここで、底壁部１１ｂは、接続端子としての端子５１を保持する端子保持凹部１１ｃを備える。該端子保持凹部１１ｃは、底壁部１１ｂを板厚方向に貫通する開口であり、ハウジング１１におけるカード１０１の挿入方向前方及び後方の縁部、すなわち、前端部及び後端部としての前端縁１１ｆ及び後端縁１１ｒに沿ってハウジング１１の幅方向に延在する列を成すように、並んで配設されている。図に示される例では、３つずつ、２列に並ぶように配設されている。そして、各端子保持凹部１１ｃ内には、端子５１が１つずつ収容されて保持される。
【００３２】
各端子５１は、その基部５１ａが底壁部１１ｂに取付けられることによって、保持されている。具体的には、前記基部５１ａの少なくとも一部が底壁部１１ｂに埋込まれ、また、その他の部分が端子保持凹部１１ｃ内に露出している。より具体的には、端子５１は、いわゆるオーバーモールド成形によって、基部５１ａの少なくとも一部が、底壁部１１ｂを構成する絶縁性材料によって覆われることにより、底壁部１１ｂに埋込まれて保持されている。
【００３３】
そして、各端子５１は、基部５１ａに基端が連結されたカンチレバー状の接触腕部５１ｂと、該接触腕部５１ｂの自由端、すなわち、先端に接続された接触部５１ｃとを備える。前記接触腕部５１ｂは、その基端が後端縁１１ｒ側に位置し、その先端が前端縁１１ｆに向けて斜め上方に延在し、少なくとも接触部５１ｃの上面は、カード挿入空間内にカード１０１が挿入されていない状態では、底壁部１１ｂの上面より上方に位置している。なお、接触部５１ｃは、上方に向けて突出するように湾曲された側面形状を備え、その先端は斜め下方を向いている。図３に示されるように、接触腕部５１ｂ及び接触部５１ｃは、上方から観て、端子保持凹部１１ｃ内に位置する。
【００３４】
前記端子５１は、接触部５１ｃが、カード用コネクタ１内に保持されたカード１０１のコンタクトパッドの各々に接触するように、配設されている。したがって、端子５１の数及び配置の形態は、カード１０１のコンタクトパッドの数及び配置の形態に適合するように、適宜変更される。図に示される例では、端子５１は、３つずつの列をそれぞれ成すように、かつ、上面から観て、矩形格子状に配列されている。
【００３５】
また、端子５１の基部５１ａには、図示されない細長い帯状の連結部の一端が連結されている。前記連結部は、ハウジング１１の前後方向に延在し、底壁部１１ｂに埋込まれている。そして、前記連結部の他端からはソルダーテール部５１ｄが前方に向けて延出し、前端縁１１ｆから前方に突出するように露出している。そして、ソルダーテール部５１ｄは、前記電子機器における配線基板等に形成された信号線、コンタクトパッド、端子等、すなわち、相手側端子部材に、はんだ付等によって電気的に接続される。
【００３６】
そして、ハウジング１１の一方（図３における左方）の側壁部１１ｅの内側には、カード案内機構収容部１１ｈ及び付勢部材収容部１１ｇが形成されている。カード案内機構収容部１１ｈには、カード用コネクタ１内に挿入されたカード１０１を案内するためのカード案内機構のスライド部材２１が前後方向にスライド可能に取付けられている。前記カード案内機構収容部１１ｈは、その上面が底壁部１１ｂの上面よりも低くなるように形成され、前記底壁部１１ｂとの境界が前後方向に直線的に延在する縦壁面となっている。そして、該縦壁面に沿って前記スライド部材２１は、前後方向にスライドする。
【００３７】
さらに、前記付勢部材収容部１１ｇ内には、圧縮された状態で付勢力を発揮するコイルスプリングとしての第１付勢部材８２が収容される。なお、奥壁部１１ａにおける付勢部材収容部１１ｇに対応する部分の後端面は、第１付勢部材８２の付勢力を受ける付勢力受部として機能するとともに、スライド部材２１に第１付勢部材８２を係止する係止突起１１ｉが形成され、スライド部材２１に第１付勢部材８２の一端が取付けられている。
【００３８】
前記スライド部材２１は、本体部２２と、該本体部２２の前端に接続されたカード１０１を保持するためのカード保持部２３と、前記本体部２２の側部後端に接続された付勢力受部２４とを含んでいる。そして、前記カード保持部２３は、ハウジング１１の幅方向に延在する細長い帯状の前端保持部２３ａと、前後方に延在する側縁保持部２３ｂとを含んでいる。また、前記付勢力受部２４は、第１付勢部材８２の付勢力を受ける部分であって、前記本体部２２の側部から図３における左方に突出している。そして、第１付勢部材８２を係止する係止突起２４ａが形成され、第１付勢部材８２の他端が取付けられている。
【００３９】
また、前記本体部２２は、前後方向に延在する傾斜部２２ａ及び平坦（たん）部２２ｂと、前記傾斜部２２ａの後端に形成された上下方向に延在する縦壁面である被係止部２２ｃとを含んでいる。前記傾斜部２２ａの上面は、その前端部、すなわち、カード保持部２３に接続された端部が最も低く、その後端部が最も高くなるように、後端縁１１ｒに向けて斜め上方に延在する帯状の傾斜面である。また、前記平坦部２２ｂの上面は、前記傾斜部２２ａの前端部とほぼ同じ高さで、かつ、高さが一定の後端縁１１ｒに向けて延在する帯状の平坦面である。なお、前記傾斜部２２ａ及び平坦部２２ｂの上面の前端部が、隣接するカード保持部２３の上面よりも高さが低く形成されているので、前記傾斜部２２ａ及び平坦部２２ｂとカード保持部２３との接続部分は、段差になっている。
【００４０】
前記スライド部材２１は、カード保持部２３の前端保持部２３ａ及び側縁保持部２３ｂによってカード１０１を保持し、該カード１０１とともに前後方向に移動する。また、前記スライド部材２１は、第１付勢部材８２によって、カード１０１の挿入方向と反対の方向、すなわち、カード１０１の排出方向に付勢される。そして、カード１０１を挿入方向に押込むプッシュ動作によってカード１０１が挿入方向に移動してロック位置にまで到達すると、シェル７１の係止ばね部材７５の係止部７５ｄがスライド部材２１の本体部２２の被係止部２２ｃと係合してスライド部材２１を係止するので、カード１０１は、スライド部材２１とともに、カード用コネクタ１の内部に保持される。
【００４１】
前記カード案内機構収容部１１ｈにおける後端縁１１ｒ寄りの位置に、カードロック部材としてのロック部材３１が配設されている。本実施の形態においては、前記スライド部材２１の後方にロック部材３１が配設されている。該ロック部材３１は、カードロック部としての本体部３２と、該本体部３２の前端に接続されたスライド制御部３３と、前記本体部３２に形成されたハウジング１１の幅方向に延在する細長い溝状のガイド凹部３４とを含んでいる。該ガイド凹部３４は、ハウジング１１の一方（図３における左方）の側壁部１１ｅ寄りの部位において、後端縁１１ｒに沿って延在し、底壁部１１ｂから立設するガイド凸部１１ｊと、幅方向にスライド可能に係合する。これにより、ロック部材３１は、ハウジング１１の後端縁１１ｒに沿ってハウジング１１の幅方向にスムーズにスライドする。なお、前記ガイド凸部１１ｊの高さ（上下方向の寸法）は、奥壁部１１ａ及び側壁部１１ｅよりも低く、例えば、奥壁部１１ａ及び側壁部１１ｅの半分以下である。また、前記側壁部１１ｅとロック部材３１との間には、圧縮された状態で付勢力を発揮するコイルスプリングから成る第２付勢部材８３が収容され、前記ロック部材３１をハウジング１１の幅方向中心に向けて付勢する。
【００４２】
なお、図３及び４には、前記第２付勢部材８３がコイルスプリングである例が示されているが、前記第２付勢部材８３は、必ずしもコイルスプリングである必要はなく、いかなる形態のスプリングであってもよい。例えば、図７（ａ）に示されるような側面形状が略Ｖ字状のリーフスプリング（板ばね）であってもよいし、図７（ｂ）に示されるような側面形状が略へ字状のリーフスプリングであってもよい。
【００４３】
そして、前記本体部３２は、カード１０１の切欠部１１１ｃと係合するカード係合部としての係合凸部３２ａと、利用者が手指等でロック部材３１をスライドさせるための操作を容易とするために凹凸が形成された操作部３２ｂと、第２付勢部材８３の付勢力を受ける部分である付勢力受部３２ｃとを含んでいる。そして、前記係合凸部３２ａにおけるハウジング１１の幅方向中心側（図３における右側）の面には、前記カード１０１の切欠部１１１ｃと対向する前方傾斜部３２ｄ、及び、前記カード１０１の前端１１１ｆの一端と側縁とを結合する角部が当接する誘込み部３２ｅが形成されている。なお、図に示される例において、該誘込み部３２ｅの形状は、傾斜平面であるが、必ずしもこれに限定される必要はなく、例えば、湾曲面であってもよく、前記カード１０１の前端１１１ｆの角部をスムーズに誘込むことが可能な形状であれば、いかなる形状であってもよい。
【００４４】
前記本体部３２が第２付勢部材８３によってハウジング１１の幅方向中心に向けて付勢されるので、図１（ｂ）に示されるように、係合凸部３２ａがハウジング１１に挿入されたカード１０１の切欠部１１１ｃと係合し、カード１０１がハウジング１１から抜出て脱落してしまうことがない。なお、利用者が操作部３２ｂを操作して、ロック部材３１をハウジング１１の幅方向外側に向けてスライドさせると、係合凸部３２ａと切欠部１１１ｃとの係合が解除され、カード１０１を挿入方向と反対の方向に移動させ、ハウジング１１から取出すことができる。
【００４５】
前記スライド制御部３３は、平坦部３３ａと、該平坦部３３ａの外側端、すなわち、図３における左方の側壁部１１ｅ寄り端に接続された傾斜部３３ｂと、前端面としての停止部３３ｃとを含んでいる。前記傾斜部３３ｂの上面は、その外側端部、すなわち、平坦部３３ａから最も離れた端部が最も低く、その内側端部、すなわち、平坦部３３ａに接続された端部が最も高くなるように、ハウジング１１の幅方向中心に向けて斜め上方に延在する傾斜面である。また、前記平坦部３３ａの上面は、前記傾斜部３３ｂの内側端部と同じ高さで、かつ、高さが一定の平坦面である。利用者がロック部材３１を図１（ｂ）に示される位置から、ハウジング１１の幅方向外側に向けてスライドさせると、シェル７１の係止ばね部材７５の先端部７５ｅが前記傾斜部３３ｂの上面に沿って相対的に移動して上昇し、これにより、係止部７５ｄが上昇して、スライド部材２１の本体部２２の被係止部２２ｃとの係合が解除される。すると、第１付勢部材８２の付勢力によって、スライド部材２１がカード１０１の挿入方向と反対の方向に移動し、カード１０１をハウジング１１から排出する。
【００４６】
なお、前記ロック部材３１は、スライド部材２１のカード１０１の挿入方向と反対の方向への移動を停止させるストッパとしても機能する。つまり、スライド部材２１の本体部２２の被係止部２２ｃが、ロック部材３１のスライド制御部３３の停止部３３ｃに当接すると、スライド部材２１は停止させられ、それ以上後端縁１１ｒ寄りに移動不能となる。前記ロック部材３１は、ガイド凹部３４がガイド凸部１１ｊと係合しているので、前後方向に変位することがない。
【００４７】
前記シェル７１は、概略矩形の形状を備え、カード１０１の上面１１１ｂと対向する天板部７２と、該天板部７２の側縁から立設する複数の側板部７４とを有する。該側板部７４には、複数の掛止開口７３が形成され、図１及び２に示されるように、シェル７１をハウジング１１の上側に取付けると、該ハウジング１１の側壁部１１ｅ等の外側面に形成された掛止突起１３に前記掛止開口７３が掛止され、これにより、シェル７１がハウジング１１に固定される。また、前記天板部７２には、該天板部７２に基端が連結され、後端縁１１ｒに向けて斜め下方に延在するカンチレバー状の板部材であるシェルばねとしての係止ばね部材７５が形成されているとともに、周辺開口としての係止ばね周辺開口７６が前記係止ばね部材７５の形成によって副次的に形成されている。
【００４８】
前記係止ばね部材７５は、基端部７５ａと、腕部７５ｂと、段差部７５ｃと、スライドロック部としての係止部７５ｄと、係止解除当接部としての先端部７５ｅとを含み、ロック部材３１のスライド制御部３３の動作に応じてスライド部材２１をスライド可能又はスライド不能にするスライド制御中間部材として機能する。前記基端部７５ａは、天板部７２に基端が連結され、後端縁１１ｒに向けて延在する自由端、すなわち、先端が二股（また）に分岐した音叉（さ）状の平面形状を備え、一方の先端には段差部７５ｃを介して腕部７５ｂが接続され、他方の先端には係止部７５ｄが接続されている。前記腕部７５ｂは、前後方向に延在する帯状の部材であるが、前記基端部７５ａよりもその高さが低くなるように、段差部７５ｃを介して基端部７５ａの一方の先端に接続されている。また、前記係止部７５ｄは、前記基端部７５ａの他方の先端に約９０度曲げて接続され、その先端が下方を向くように延出する。さらに、前記先端部７５ｅは、前記腕部７５ｂの先端とほぼ面一となるように該腕部７５ｂの先端に約９０度曲げて接続され、その先端がハウジング１１の幅方向中心を向くように延出し、ロック部材３１のスライド制御部３３と当接する。
【００４９】
そして、図１（ａ）等に示されるように、カード１０１が挿入されておらず、スライド部材２１及びロック部材３１が初期位置にある状態では、腕部７５ｂの下面は、スライド部材２１の本体部２２における平坦部２２ｂの上面に当接し、係止部７５ｄは、スライド部材２１の本体部２２における傾斜部２２ａとカード保持部２３との接続部分であって段差状の接続部分と係合し、先端部７５ｅは、その先端がロック部材３１のスライド制御部３３における傾斜部３３ｂの外側端部近傍の上面に当接している。なお、前記係止部７５ｄは、その下端の高さが前記本体部２２の後端における傾斜部２２ａの上面より低くなるように設定されている。
【００５０】
また、図１（ｂ）に示されるように、スライド部材２１は挿入されたカード１０１とともにロック位置にあるがロック部材３１が初期位置にある状態では、腕部７５ｂの下面は、カード案内機構収容部１１ｈの上面と対向し、係止部７５ｄは、スライド部材２１の本体部２２における被係止部２２ｃと係合し、先端部７５ｅは、その先端がロック部材３１のスライド制御部３３における傾斜部３３ｂの外側端部近傍の上面に当接している。この状態で、利用者がロック部材３１をハウジング１１の幅方向外側に向けてスライドさせると、先端部７５ｅが前記傾斜部３３ｂの上面に沿って相対的に移動して上昇し、これにより、係止部７５ｄが上昇して、スライド部材２１の本体部２２における被係止部２２ｃとの係合が解除される。
【００５１】
さらに、前記天板部７２の後端縁におけるハウジング１１のガイド凸部１１ｊと対向する位置には、前記後端縁から立設するようにガイド片７７が形成されている。なお、該ガイド片７７の突出量、すなわち、高さ（上下方向の寸法）は、側板部７４より低く、例えば、側板部７４の半分以下であって、前記ガイド凸部１１ｊと干渉しない。そして、ロック部材３１のガイド凹部３４は、前記ガイド片７７と幅方向にスライド可能に係合する。つまり、ロック部材３１のガイド凹部３４は、ハウジング１１のガイド凸部１１ｊ及びシェル７１のガイド片７７の両方と、スライド可能に係合する。
【００５２】
また、ハウジング１１のコンタクトパッドと端子５１とが接触していることを検出して、カード１０１がカード用コネクタ１に装填（てん）されていることを検出するカード検出スイッチが配設されている。該カード検出スイッチは、奥壁部１１ａ及びその近傍に取付けられたカンチレバー状の第１接点部材６２と、大部分が底壁部１１ｂに埋込まれた第２接点部材６３とによって形成される。
【００５３】
前記第１接点部材６２は、奥壁部１１ａに取付けられた取付部６２ａ、基端が前記取付部６２ａに接続され、横方向に向けて延出するカンチレバー状の本体部６２ｂ、及び、該本体部６２ｂの自由端に接続された当接部６２ｃを有する。前記取付部６２ａは奥壁部１１ａの側面とほぼ平行となり、本体部６２ｂは、カード１０１がカード用コネクタ１に挿入されていない状態においては、奥壁部１１ａの側面に対して傾斜し、当接部６２ｃは、カード１０１の挿入方向に関して手前側、すなわち、後方に位置する。そして、カード１０１が挿入されると、該カード１０１の前端１１１ｆが当接部６２ｃに当接する。
【００５４】
一方、前記第２接点部材６３は、底壁部１１ｂに埋込まれた平板状の取付部６３ａと、基端が前記取付部６３ａに接続され、先端が底壁部１１ｂから露出する接触部６３ｂとを有する。
【００５５】
そして、カード１０１が挿入されていない状態においては、図３に示されるように、第１接点部材６２の本体部６２ｂが第２接点部材６３の接触部６３ｂと接触しているので、第１接点部材６２と第２接点部材６３とは接触しており、カード検出スイッチは導通状態、すなわち、オン（ＯＮ）になっている。
【００５６】
しかし、カード１０１が挿入され、そのコンタクトパッドと端子５１とが接触する位置に到達すると、カード１０１の前端１１１ｆによって第１接点部材６２の当接部６２ｃが奥壁部１１ａの方向に向けて押されて変位し、第１接点部材６２の本体部６２ｂが第２接点部材６３の接触部６３ｂから離間する。これにより、第１接点部材６２と第２接点部材６３とが非接触となり、カード検出スイッチは非導通状態、すなわち、オフ（ＯＦＦ）になるので、カード１０１がコンタクトパッドと端子５１とが接触する位置に到達したことが検出される。
【００５７】
次に、前記構成のカード用コネクタ１の動作について説明する。まず、カード１０１を挿入する場合の動作について説明する。
【００５８】
図８は本発明の第１の実施の形態におけるカードを挿入途中の状態を説明する図、図９は本発明の第１の実施の形態におけるカードの挿入が完了した状態を説明する図である。なお、図８及び９において、（ａ）は上方から観た透視図、（ｂ）は係止ばね部材の動作を示す要部の側面図、（ｃ）は係止ばね部材の動作を示す要部の斜め上方から観た透視図であり、図９において、（ｄ）はロック部材の動作を示す要部の上面図である。
【００５９】
まず、利用者が手指等によってカード１０１をカード用コネクタ１の後方の挿入口１８からハウジング１１とシェル７１との間に形成されるカード挿入空間内に挿入する。なお、カード１０１は、前端１１１ｆがハウジング１１の前端縁１１ｆの方を向き、下面が底壁部１１ｂと対向し、上面１１１ｂがシェル７１の天板部７２と対向するような姿勢で挿入される。この場合、ロック部材３１は、第２付勢部材８３の付勢力によって初期位置としての第１位置３１−１に位置し、その本体部３２の係合凸部３２ａがハウジング１１の幅方向中心に向けて前記挿入口１８内に突出しているので、カード１０１の前端１１１ｆの一端（図８（ａ）における左端）と側縁とを結合する角部が、前記係合凸部３２ａのハウジング１１の幅方向中心側の面に形成された誘込み部３２ｅに当接する。
【００６０】
そして、利用者がカード１０１をカード挿入空間内に挿入することによって、前記カード１０１の角部が誘込み部３２ｅに摺（しゅう）接しながらハウジング１１の前端縁１１ｆの方向に移動するので、ロック部材３１は、第２付勢部材８３の付勢力に抗して、ハウジング１１の幅方向外側に移動させられ、第２位置３１−２に到達する。このとき、前記本体部３２に形成されたハウジング１１の幅方向に延在する細長い溝状のガイド凹部３４が、ハウジング１１のガイド凸部１１ｊ及びシェル７１のガイド片７７と係合しているので、ロック部材３１は、ハウジング１１の幅方向外側に向けてスムーズにスライドする。
【００６１】
また、利用者が誤ってカード１０１の前端１１１ｆをロック部材３１の操作部３２ｂに衝突乃至当接させて、前端縁１１ｆの方向に向けた大きな外力がロック部材３１に付与された場合であっても、ガイド凹部３４がハウジング１１のガイド凸部１１ｊ及びシェル７１のガイド片７７の両方と係合しているので、前記外力に十分に耐えることができ、ロック部材３１、ハウジング１１及び／又はシェル７１が損傷を受けたり、破損したりしてしまうことがなく、ロック部材３１のスライドがスムーズさを失うことがない。
【００６２】
このように、ロック部材３１が第２位置３１−２に到達すると、その本体部３２の係合凸部３２ａがハウジング１１の幅方向中心に向けて突出しなくなるので、カード１０１は、カード案内機構収容部１１ｈに沿って進行することができる。また、ロック部材３１のスライド制御部３３がハウジング１１の幅方向外側に向けて移動するので、シェル７１の係止ばね部材７５の先端部７５ｅが、初期位置としての第１位置７５ｅ−１から、前記スライド制御部３３の傾斜部３３ｂの上面に沿って相対的に移動して上昇し、第２位置７５ｅ−２に到達する。その結果、係止ばね部材７５全体も初期位置としての第１位置７５−１から上昇して第２位置７５−２に到達するので、腕部７５ｂの下面がスライド部材２１の本体部２２における平坦部２２ｂの上面から離間し、かつ、係止部７５ｄの下端が前記スライド部材２１の本体部２２における傾斜部２２ａの上面から離間し、スライド部材２１は、係止ばね部材７５と干渉せず、スムーズにスライド可能となる。
【００６３】
続いて、利用者がカード１０１をプッシュして更に押込むと、図８（ａ）に示されるように、スライド部材２１の前端保持部２３ａ及び側縁保持部２３ｂがカード１０１の前端１１１ｆ及び側縁を保持するので、前記カード１０１は、スライド部材２１によって保持され、該スライド部材２１とともに、奥壁部１１ａに向けて移動する。この際、利用者の手指等が発揮する押圧力は、カード１０１の前端から前端保持部２３ａを介してスライド部材２１に伝達される。そして、該スライド部材２１がコイルスプリングから成る第１付勢部材８２を圧縮するので、スライド部材２１及びカード１０１は、第１付勢部材８２の反発力を受けるが、該反発力が利用者の手指等が発揮する押圧力よりも小さいので、前記反発力に抗して移動する。この場合、スライド部材２１はカード案内機構収容部１１ｈに沿ってスライドし、カード１０１はスライド部材２１とともに進行する。
【００６４】
そして、スライド部材２１及びカード１０１は、図９（ａ）に示されるように、最も前進した位置であるロック位置に到達して停止する。カード１０１は、ロック位置において、カード用コネクタ１が実装された電子機器の演算手段等との間でデータの送受信を行うことができる状態となる。なお、カード１０１がロック位置にある場合、カード用コネクタ１の端子５１は、その接触部５１ｃが、カード１０１のコンタクトパッドの各々に接触して導通している。
【００６５】
また、カード１０１の前端１１１ｆによって第１接点部材６２の当接部６２ｃが奥壁部１１ａの方向に向けて押されて変位し、第１接点部材６２の本体部６２ｂが第２接点部材６３の接触部６３ｂから離間する。これにより、第１接点部材６２と第２接点部材６３とが非接触となり、カード検出スイッチはオフになるので、カード１０１がコンタクトパッドと端子５１とが接触する位置に到達したことが検出される。
【００６６】
さらに、カード１０１がロック位置に到達すると、その切欠部１１１ｃがハウジング１１の後端縁１１ｒに到達してロック部材３１の本体部３２の係合凸部３２ａと対向する。そのため、ロック部材３１は、第２付勢部材８３の付勢力によって、第２位置３１−２からハウジング１１の幅方向中心に向けて移動させられ、第１位置３１−１に復帰する。そして、本体部３２の係合凸部３２ａがカード１０１の切欠部１１１ｃと係合し、本体部３２の前方傾斜部３２ｄが前記切欠部１１１ｃと対向する。これにより、カード１０１は、ロック位置においてロックされ、挿入方向と反対の方向へ移動不能となるので、ハウジング１１から離脱することがない。
【００６７】
このように、カード１０１をカード挿入空間内に挿入する際には、ロック部材３１が自動的に第１位置３１−１から第２位置３１−２に移動し、カード１０１を押込んでロック位置にまで到達させると、ロック部材３１が自動的に第１位置３１−１に復帰してカード１０１をロックするので、利用者がロック部材３１を操作する必要がなく、操作性が良好である。
【００６８】
また、ロック部材３１が第１位置３１−１に復帰するときには、ロック部材３１のスライド制御部３３がハウジング１１の幅方向中心に向けて移動するので、シェル７１の係止ばね部材７５の先端部７５ｅが、第２位置７５ｅ−２から、前記スライド制御部３３の傾斜部３３ｂの上面に沿って相対的に移動して下降し、第１位置７５ｅ−１に復帰する。その結果、係止ばね部材７５全体も第２位置７５−２から下降して第１位置７５−１に復帰するので、係止部７５ｄも第２位置７５ｄ−２から下降して第１位置７５ｄ−１に復帰する。このとき、スライド部材２１もカード１０１とともにロック位置にあるので、前記スライド部材２１の本体部２２における傾斜部２２ａの後端に形成された被係止部２２ｃは、前記係止ばね部材７５の係止部７５ｄに対応する位置にある。そのため、前記被係止部２２ｃは、第２位置７５ｄ−２から下降して第１位置７５ｄ−１に復帰した係止部７５ｄと係合して係止される。
【００６９】
これにより、スライド部材２１は、ロック位置において係止ばね部材７５によって係止されることとなり、スライド部材２１の前端保持部２３ａがカード１０１を介して受ける挿入方向の押圧力が消滅した場合でも、挿入方向と反対の方向に移動してしまうことがない。したがって、カード１０１は、スライド部材２１によって挿入方向と反対の方向へ移動させられることがなく、ハウジング１１から離脱することがない。
【００７０】
さらに、ロック部材３１は、カード１０１の誤挿入を防止する機能を発揮する。カード１０１が正規の姿勢、すなわち、前端１１１ｆがハウジング１１の前端縁１１ｆの方を向き、下面が底壁部１１ｂと対向し、上面１１１ｂがシェル７１の天板部７２と対向するような姿勢で挿入された場合には、カード１０１がロック位置に到達すると、斜めに切欠かれた切欠部１１１ｃがロック部材３１の本体部３２の係合凸部３２ａと対向するので、ロック部材３１が第１位置３１−１に復帰可能となる。
【００７１】
しかし、カード１０１が正規の姿勢以外の姿勢、すなわち、非正規の姿勢でカード用コネクタ１に挿入された場合には、切欠部１１１ｃ以外のカード１０１の角部が係合凸部３２ａと対向するので、ロック部材３１が第１位置３１−１に復帰不能となる。そのため、スライド制御部３３がハウジング１１の幅方向中心に向けて移動せず、シェル７１の係止ばね部材７５の先端部７５ｅが第１位置７５ｅ−１に復帰しないので、係止部７５ｄも第１位置７５ｄ−１に復帰せず、スライド部材２１の被係止部２２ｃは、前記係止部７５ｄによって係止されないこととなる。その結果、スライド部材２１は、スライド可能な状態を維持し、その前端保持部２３ａがカード１０１を介して受ける挿入方向の押圧力が消滅した場合には、挿入方向と反対の方向に移動してカード１０１を排出してしまう。このように、非正規の姿勢で挿入されたカード１０１がロック位置に保持されずに排出されるので、誤挿入は防止される。
【００７２】
次に、カード１０１をカード用コネクタ１から排出させる動作について説明する。
【００７３】
図１０は本発明の第１の実施の形態におけるカードの排出開始の状態を説明する図、図１１は本発明の第１の実施の形態におけるカードの排出が完了した状態を説明する図である。なお、図１０及び１１において、（ａ）は上方から観た透視図、（ｂ）は係止ばね部材の動作を示す要部の側面図、（ｃ）は係止ばね部材の動作を示す要部の斜め上方から観た透視図である。
【００７４】
まず、利用者が手指等によってロック部材３１の操作部３２ｂを操作し、第２付勢部材８３の付勢力に抗して、図１０（ａ）に示されるように、ロック部材３１をハウジング１１の幅方向外側に移動させ、第２位置３１−２に到達させる。このとき、前記本体部３２に形成されたハウジング１１の幅方向に延在する細長い溝状のガイド凹部３４が、ハウジング１１のガイド凸部１１ｊ及びシェル７１のガイド片７７と係合しているので、ロック部材３１は、ハウジング１１の幅方向外側に向けてスムーズにスライドする。
【００７５】
そして、ロック部材３１が第２位置３１−２に到達すると、その本体部３２の前方傾斜部３２ｄがカード１０１の切欠部１１１ｃから離間し、前記本体部３２の係合凸部３２ａとカード１０１の切欠部１１１ｃとの係合が解除される。これにより、カード１０１は、ロック位置においてロック解除され、挿入方向と反対の方向へ移動可能となる。
【００７６】
また、ロック部材３１が第２位置３１−２に移動すると、前記ロック部材３１のスライド制御部３３がハウジング１１の幅方向外側に向けて移動するので、シェル７１の係止ばね部材７５の先端部７５ｅが、第１位置７５ｅ−１から、前記スライド制御部３３の傾斜部３３ｂの上面に沿って相対的に移動して上昇し、第２位置７５ｅ−２に到達する。その結果、係止ばね部材７５全体も第１位置７５−１から上昇して第２位置７５−２に到達するので、係止部７５ｄも第１位置７５ｄ−１から上昇して第２位置７５ｄ−２に到達し、前記係止部７５ｄとスライド部材２１の本体部２２における被係止部２２ｃとの係合が解除される。これにより、スライド部材２１は、係止ばね部材７５による係止が解除されたので、挿入方向と反対の方向に移動可能となり、第１付勢部材８２の付勢力によって、カード１０１とともに、奥壁部１１ａから離脱する向きに移動させられ、挿入方向と反対の方向に移動させられる。そして、カード１０１が挿入口１８から排出される。
【００７７】
図１１（ａ）に示されるように、カード１０１が排出されると、ロック部材３１は、第２付勢部材８３の付勢力によって、第２位置３１−２からハウジング１１の幅方向中心に向けて移動させられ、第１位置３１−１に復帰する。また、ロック部材３１が第１位置３１−１に復帰するときには、ロック部材３１のスライド制御部３３がハウジング１１の幅方向中心に向けて移動するので、シェル７１の係止ばね部材７５の先端部７５ｅが、第２位置７５ｅ−２から、前記スライド制御部３３の傾斜部３３ｂの上面に沿って相対的に移動して下降し、第１位置７５ｅ−１に復帰する。その結果、係止ばね部材７５全体も第２位置７５−２から下降して第１位置７５−１に復帰する。
【００７８】
なお、スライド部材２１は、カード１０１とともに、挿入方向と反対の方向に移動するが、その本体部２２の被係止部２２ｃがロック部材３１のスライド制御部３３の前端面である停止部３３ｃと当接すると、停止する。
【００７９】
また、カード１０１の前端１１１ｆによって当接部６２ｃが奥壁部１１ａの方向に向けて押されて変位していた第１接点部材６２は、それ自体の弾性によって元の姿勢に復帰し、その本体部６２ｂが第２接点部材６３の接触部６３ｂに接触する。これにより、カード検出スイッチはオンになるので、カード１０１がコンタクトパッドと端子５１とが接触する位置にないことが検出される。
【００８０】
このように、本実施の形態において、カード用コネクタ１は、コンタクトパッドを備えるカード１０１を収容するハウジング１１と、ハウジング１１に取付けられ、カード１０１のコンタクトパッドと接触する端子５１とを有する。そして、カード用コネクタ１は、ハウジング１１の後端縁１１ｒから前端縁１１ｆに向けて挿入されたカード１０１を保持してハウジング１１の前後方向にスライドするスライド部材２１と、スライド部材２１を後端縁１１ｒに向けて付勢する第１付勢部材８２と、ハウジング１１の後端縁１１ｒに配設され、ハウジング１１の幅方向にスライドし、ハウジング１１に収容されたカード１０１をロックするロック部材３１と、ロック部材３１をハウジング１１の幅方向中心に向けて付勢する第２付勢部材８３とを更に有し、ロック部材３１は、スライド部材２１のスライドを制御するスライド制御部３３を含み、スライド制御部３３は、ロック部材３１がカード１０１のハウジング１１の前後方向へのスライドを阻止する第１位置にあるとき、スライド部材２１をスライド不能にし、ロック部材３１がカード１０１のハウジング１１の前後方向へのスライドを許容する第２位置にあるとき、スライド部材２１をスライド可能にする。
【００８１】
これにより、スライド部材２１は、前後方向にスムーズにスライドし、カード１０１を常に確実に前後方向に案内することができる。また、ロック部材３１がスムーズに作動して確実にロック及びロック解除動作を行うことができるので、カード１０１の挿入及び排出を確実かつ容易に行うことができる。したがって、カード用コネクタ１の信頼性が向上する。
【００８２】
また、ロック部材３１は係合凸部３２ａを含み、係合凸部３２ａは、ロック部材３１が第１位置にあるとき、ハウジング１１に収容されたカード１０１の後端１１１ｒの一端に形成された切欠部１１１ｃと係合する。したがって、カード１０１を確実に保持することができ、カード１０１の脱落を防止することができる。また、カード１０１が非正規の姿勢でカード用コネクタ１に挿入された場合には、係合凸部３２ａが切欠部１１１ｃと係合しないので、カード１０１の誤挿入を防止することができる。
【００８３】
さらに、カード用コネクタ１は、ハウジング１１に取付けられ、少なくともハウジング１１及びハウジング１１に挿入されたカード１０１の一部を覆う天板部７２を含むシェル７１を更に有し、ハウジング１１は、後端縁１１ｒに沿って延在するガイド凸部１１ｊを含み、シェル７１は、天板部７２のガイド凸部１１ｊと対向する位置に形成されたガイド片７７を含み、ロック部材３１は、ハウジング１１の幅方向に延在する溝状のガイド凹部３４を含み、ガイド凹部３４は、ガイド凸部１１ｊ及びガイド片７７とスライド可能に係合する。したがって、ロック部材３１は、ハウジング１１の幅方向にスムーズにスライドすることができる。また、利用者が誤ってカード１０１をロック部材３１に衝突乃至当接させて、前端縁１１ｆの方向に向けた大きな外力がロック部材３１に付与された場合であっても、ガイド凹部３４がハウジング１１のガイド凸部１１ｊ及びシェル７１のガイド片７７の両方と係合しているので、外力に十分に耐えることができ、ロック部材３１、ハウジング１１及び／又はシェル７１が損傷を受けたり、破損したりしてしまうことがなく、ロック部材３１のスライドがスムーズさを失うことがない。
【００８４】
さらに、天板部７２は、スライド制御部３３の位置に応じてスライド部材２１をスライド可能又はスライド不能にする係止ばね部材７５を含み、係止ばね部材７５は、スライド制御部３３と当接する先端部７５ｅ、及び、スライド部材２１の被係止部２２ｃと係合可能な係止部７５ｄを含む。したがって、ロック部材３１をハウジング１１の幅方向にスライドさせることによって、係止ばね部材７５を介して、間接的にスライド部材２１をスライド可能又はスライド不能に制御することができる。
【００８５】
さらに、スライド制御部３３は、ハウジング１１の幅方向中心に向けて斜め上方に延在する傾斜部３３ｂを含み、ロック部材３１が第１位置から第２位置にスライドすると、先端部７５ｅは傾斜部３３ｂに沿って移動して上昇し、係止部７５ｄは被係止部２２ｃとの係合を解除する。したがって、ロック部材３１を第１位置から第２位置にスライドさせることによって、スライド部材２１をスライド可能にして、容易にカード１０１を排出させることができる。
【００８６】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００８７】
図１２は本発明の第２の実施の形態におけるカード用コネクタを示す斜視図、図１３は本発明の第２の実施の形態におけるカード用コネクタを示す二面図、図１４は本発明の第２の実施の形態におけるカード用コネクタのシェルを取除いた状態を示す平面図、図１５は本発明の第２の実施の形態におけるカード用コネクタのシェルを取除いた状態を示す斜視図、図１６は本発明の第２の実施の形態におけるカード用コネクタのロック部材を示す斜視図、図１７は本発明の第２の実施の形態におけるカード用コネクタのスライド部材を示す斜視図である。なお、図１２において、（ａ）はカードを挿入していない状態を示す図、（ｂ）はカードを挿入した状態を示す図であり、図１３において、（ａ）は上面図、（ｂ）は側面図であり、図１６及び１７において、（ａ）は上方から観た図、（ｂ）及び（ｃ）は下方から観た図である。
【００８８】
本実施の形態においては、シェル７１の天板部７２に係止ばね部材７５が形成されていない。なお、図に示される例では、上からスライド部材２１を下方向に付勢するためのスライド部材押えばね部材７８が形成されているが、該スライド部材押えばね部材７８は、適宜省略することができる。
【００８９】
また、本実施の形態におけるスライド部材２１の本体部２２は、傾斜部２２ａ及び平坦部２２ｂを含んでおらず、上面が平坦である。しかし、前記本体部２２の下面には、図１７に示されるように、スライド制御凹部２５が形成されている。該スライド制御凹部２５は、下方から観て略Ｌ字状の全体形状を備える溝状の凹部であり、前後方向に延在する幅広の溝状の主凹部２５ａと、該主凹部２５ａの前端からハウジング１１の幅方向中心に向けて延出する幅狭の溝状の係合凹部２５ｂと、前記主凹部２５ａ及び係合凹部２５ｂの前端壁面である停止部２５ｃとを含んでいる。そして、略Ｌ字状のスライド制御凹部２５によって二方が画定された部分は、本体部２２の他の部分よりも上下方向の寸法、すなわち、厚さが薄い島部２２ｄとなっている。該島部２２ｄの下面は、本体部２２の他の部分及びカード保持部２３の下面よりも高くなるように形成されている。また、前記島部２２ｄの後端に形成された上下方向に延在する縦壁面は、被係止部２２ｃとして機能する。なお、カード保持部２３及び付勢力受部２４については、前記第１の実施の形態と同様であるので、その説明を省略する。
【００９０】
さらに、本実施の形態におけるロック部材３１は、図１６に示されるように、前記第１の実施の形態のスライド制御部３３に代えて、形状の異なるスライド制御部３５を備える。該スライド制御部３５は、後端が本体部３２の前端に接続され、前方に向けて延出する腕部３５ａと、該腕部３５ａの前端において上方に突出する係合凸部３５ｂと、前記腕部３５ａ及び係合凸部３５ｂの前端面であるスライドロック部としての停止部３５ｃとを含んでいる。
【００９１】
そして、図１２（ａ）等に示されるように、カード１０１が挿入されておらず、スライド部材２１及びロック部材３１が初期位置にある状態では、前記腕部３５ａは、スライド部材２１の島部２２ｄの下方に位置する。そのため、前記腕部３５ａは、上下方向の寸法、すなわち、厚さが本体部３２の厚さよりも薄くなるように形成され、その上面が本体部３２の上面よりも低くなるように形成されている。さらに、スライド部材２１及びロック部材３１が初期位置にある状態では、前記係合凸部３５ｂは、スライド部材２１の係合凹部２５ｂ内に収容される。
【００９２】
また、図１２（ｂ）に示されるように、スライド部材２１は挿入されたカード１０１とともにロック位置にあるがロック部材３１が初期位置にある状態では、前記ロック部材３１の前端に位置する停止部３５ｃがスライド部材２１の後端に位置する被係止部２２ｃと当接して係合している。この状態で、利用者がロック部材３１をハウジング１１の幅方向外側に向けてスライドさせると、前記停止部３５ｃが被係止部２２ｃに沿ってハウジング１１の幅方向にスライドして被係止部２２ｃとの係合が解除され、係合凸部３５ｂが主凹部２５ａ内に進入し、スライド部材２１が前後方向にスライド可能となる。
【００９３】
なお、本体部３２及びガイド凹部３４については、前記第１の実施の形態と同様であるので、その説明を省略する。ところで、図に示される例では、本体部３２の付勢力受部３２ｃに第２付勢部材８３を係止する係止突起３２ｆが形成されているが、該係止突起３２ｆは適宜省略することができる。
【００９４】
このように、前記第１の実施の形態においては、ロック部材３１のスライド制御部３３が、スライド制御中間部材として機能する係止ばね部材７５を介して、すなわち、間接的にスライド部材２１をスライド可能又はスライド不能にするのに対し、本実施の形態においては、ロック部材３１のスライド制御部３５が、他の部材を介することなく、すなわち、直接的にスライド部材２１をスライド可能又はスライド不能にする。
【００９５】
なお、カード用コネクタ１のその他の点の構造については、前記第１の実施の形態と同様であるので、その説明を省略する。
【００９６】
次に、前記構成のカード用コネクタ１の動作について説明する。まず、カード１０１を挿入する場合の動作について説明する。
【００９７】
図１８は本発明の第２の実施の形態におけるカードを挿入途中の状態を説明する図、図１９は本発明の第２の実施の形態におけるカードの挿入が完了した状態を説明する図である。なお、図１８及び１９において、（ａ）及び（ｂ）はシェルを取外した状態の上面図及び斜視図である。
【００９８】
まず、利用者が手指等によってカード１０１をカード用コネクタ１の後方の挿入口１８からハウジング１１とシェル７１との間に形成されるカード挿入空間内に挿入する。また、カード１０１は、前端１１１ｆがハウジング１１の前端縁１１ｆの方を向き、下面が底壁部１１ｂと対向し、上面１１１ｂがシェル７１の天板部７２と対向するような姿勢で挿入される。なお、説明の都合上、図１８（ａ）及び１９（ａ）ではシェル７１を取外した状態が示され、図１８（ｂ）及び１９（ｂ）では、さらに、カード１０１も取外した状態が示されている。この場合、ロック部材３１は、第２付勢部材８３の付勢力によって初期位置としての第１位置３１−１に位置し、その本体部３２の係合凸部３２ａがハウジング１１の幅方向中心に向けて前記挿入口１８内に突出しているので、カード１０１の前端１１１ｆの一端（図１８（ａ）における左端）と側縁とを結合する角部が、前記係合凸部３２ａのハウジング１１の幅方向中心側の面に形成された誘込み部３２ｅに当接する。
【００９９】
そして、利用者がカード１０１をカード挿入空間内に挿入することによって、前記カード１０１の角部が誘込み部３２ｅに摺接しながらハウジング１１の前端縁１１ｆの方向に移動するので、ロック部材３１は、第２付勢部材８３の付勢力に抗して、ハウジング１１の幅方向外側に移動させられ、第２位置３１−２に到達する。
【０１００】
このように、ロック部材３１が第２位置３１−２に到達すると、その本体部３２の係合凸部３２ａがハウジング１１の幅方向中心に向けて突出しなくなるので、カード１０１は、カード案内機構収容部１１ｈに沿って進行することができる。また、ロック部材３１のスライド制御部３５の前端における係合凸部３５ｂも、初期位置としての第１位置３５ｂ−１、すなわち、スライド部材２１のスライド制御凹部２５における係合凹部２５ｂ内の位置から、ハウジング１１の幅方向外側に向けて移動し、第２位置３５ｂ−２、すなわち、前記スライド制御凹部２５における係合凹部２５ｂの外側の主凹部２５ａ内の位置に到達する。その結果、前記係合凸部３５ｂは、係合凹部２５ｂとの係合が解除され、主凹部２５ａ内を相対的に前後方向に移動可能となるので、スライド部材２１は、カード案内機構収容部１１ｈに沿って前後方向にスライド可能となる。
【０１０１】
続いて、利用者がカード１０１をプッシュして更に押込むと、図１８（ａ）に示されるように、スライド部材２１の前端保持部２３ａ及び側縁保持部２３ｂがカード１０１の前端１１１ｆ及び側縁を保持するので、前記カード１０１は、スライド部材２１によって保持され、該スライド部材２１とともに、奥壁部１１ａに向けて移動する。
【０１０２】
そして、スライド部材２１及びカード１０１は、図１９（ａ）に示されるように、最も前進した位置であるロック位置に到達して停止する。カード１０１がロック位置に到達すると、その切欠部１１１ｃがハウジング１１の後端縁１１ｒに到達してロック部材３１の本体部３２の係合凸部３２ａと対向する。そのため、ロック部材３１は、第２付勢部材８３の付勢力によって、第２位置３１−２からハウジング１１の幅方向中心に向けて移動させられ、第１位置３１−１に復帰する。そして、本体部３２の係合凸部３２ａがカード１０１の切欠部１１１ｃと係合し、本体部３２の前方傾斜部３２ｄが前記切欠部１１１ｃと対向する。これにより、カード１０１は、ロック位置においてロックされ、挿入方向と反対の方向へ移動不能となるので、ハウジング１１から離脱することがない。
【０１０３】
なお、カード１０１とともにスライド部材２１がロック位置に到達すると、ロック部材３１のスライド制御部３５の前端における係合凸部３５ｂは、スライド部材２１の主凹部２５ａから後方に抜出る。これにより、係合凸部３５ｂの前端面である停止部３５ｃは、前後方向に関し、スライド部材２１の後端に位置する被係止部２２ｃと同一位置又はより後方の位置にあることとなる。
【０１０４】
そして、ロック部材３１が第１位置３１−１に復帰するときには、ロック部材３１のスライド制御部３５がハウジング１１の幅方向中心に向けて移動するので、係合凸部３５ｂも、第２位置３５ｂ−２から第１位置３５ｂ−１に復帰する。このとき、係合凸部３５ｂは、スライド部材２１の主凹部２５ａから後方に抜出ているので、ハウジング１１の幅方向中心に向けて移動可能である。そして、係合凸部３５ｂが第１位置３５ｂ−１に復帰すると、係合凸部３５ｂの前端面である停止部３５ｃは、スライド部材２１の被係止部２２ｃに対向する位置となる。そのため、前記被係止部２２ｃは、停止部３５ｃと係合して係止される。これにより、スライド部材２１は、ロック位置においてスライド制御部３５によって係止されることとなり、スライド部材２１の前端保持部２３ａがカード１０１を介して受ける挿入方向の押圧力が消滅した場合でも、挿入方向と反対の方向に移動してしまうことがない。したがって、カード１０１は、スライド部材２１によって挿入方向と反対の方向へ移動させられることがなく、ハウジング１１から離脱することがない。
【０１０５】
なお、カード１０１を挿入する場合における他の点の動作については、前記第１の実施の形態と同様であるので、その説明を省略する。
【０１０６】
次に、カード１０１をカード用コネクタ１から排出させる動作について説明する。
【０１０７】
図２０は本発明の第２の実施の形態におけるカードの排出開始の状態を説明する図、図２１は本発明の第２の実施の形態におけるカードの排出が完了した状態を説明する図である。なお、図２０及び２１において、（ａ）及び（ｂ）はシェルを取外した状態の上面図及び斜視図である。
【０１０８】
まず、利用者が手指等によってロック部材３１の操作部３２ｂを操作し、第２付勢部材８３の付勢力に抗して、図２０に示されるように、ロック部材３１をハウジング１１の幅方向外側に移動させ、第２位置３１−２に到達させる。なお、説明の都合上、図２０（ａ）、２１（ａ）及び２１（ｂ）ではシェル７１を取外した状態が示され、図２０（ｂ）では、さらに、カード１０１も取外した状態が示されている。
【０１０９】
そして、ロック部材３１が第２位置３１−２に到達すると、その本体部３２の前方傾斜部３２ｄがカード１０１の切欠部１１１ｃから離間し、前記本体部３２の係合凸部３２ａとカード１０１の切欠部１１１ｃとの係合が解除される。これにより、カード１０１は、ロック位置においてロック解除され、挿入方向と反対の方向へ移動可能となる。
【０１１０】
また、ロック部材３１が第２位置３１−２に移動すると、前記ロック部材３１のスライド制御部３５の前端における係合凸部３５ｂも第１位置３５ｂ−１から第２位置３５ｂ−２に移動する。そのため、係合凸部３５ｂの前端面である停止部３５ｃが、スライド部材２１の被係止部２２ｃに対向する位置から、主凹部２５ａに対向する位置に移動するので、前記停止部３５ｃと被係止部２２ｃとの係合が解除される。これにより、前記係合凸部３５ｂは、主凹部２５ａ内を相対的に前後方向に移動可能となり、スライド部材２１は、挿入方向と反対の方向に移動可能となる。その結果、スライド部材２１は、第１付勢部材８２の付勢力によって、カード１０１とともに、奥壁部１１ａから離脱する向きに移動させられ、挿入方向と反対の方向に移動させられる。そして、カード１０１が挿入口１８から排出される。
【０１１１】
なお、スライド部材２１は、カード１０１とともに、挿入方向と反対の方向に移動するが、その主凹部２５ａの前端壁面である停止部２５ｃが主凹部２５ａ内を相対的に移動する前記係合凸部３５ｂの前端面である停止部３５ｃと当接すると、停止する。
【０１１２】
図２１に示されるように、カード１０１が排出されると、ロック部材３１は、第２付勢部材８３の付勢力によって、第２位置３１−２からハウジング１１の幅方向中心に向けて移動させられ、第１位置３１−１に復帰する。また、ロック部材３１が第１位置３１−１に復帰するときには、ロック部材３１のスライド制御部３５がハウジング１１の幅方向中心に向けて移動するので、係合凸部３５ｂも、第２位置３５ｂ−２から第１位置３５ｂ−１に復帰する。このとき、停止部３５ｃが主凹部２５ａの前端壁面である停止部２５ｃと当接しているので、係合凸部３５ｂは、主凹部２５ａの前端からハウジング１１の幅方向中心に向けて延出する係合凹部２５ｂ内に進入して収容される。
【０１１３】
なお、カード１０１を排出させる場合における他の点の動作については、前記第１の実施の形態と同様であるので、その説明を省略する。
【０１１４】
このように、本実施の形態においては、スライド部材２１は、スライド制御部３５と係合可能なスライド制御凹部２５を含み、スライド制御部３５は、スライド制御凹部２５の係合凹部２５ｂと係合可能な係合凸部３５ｂ、及び、スライド部材２１の被係止部２２ｃと係合可能な停止部３５ｃを含む。このように、スライド制御部３５は、スライド部材２１と係合して直接的にスライド部材２１をスライド可能又はスライド不能に制御するので、より確実にスライド部材２１を制御することができる。また、シェル７１の天板部７２に係止ばね部材７５を形成する必要がなく、構造を簡素化し、コストを低減することができる。
【０１１５】
また、スライド制御凹部２５はハウジング１１の前後方向に延在する主凹部２５ａを含み、係合凹部２５ｂは主凹部２５ａの前端からハウジング１１の幅方向中心に向けて延出し、スライド制御部３５は前方に向けて延出する腕部３５ａを含み、係合凸部３５ｂは腕部３５ａの前端において突出し、停止部３５ｃは係合凸部３５ｂの前端面であり、被係止部２２ｃはスライド部材２１の後端面である。したがって、より確実にスライド部材２１をスライド可能又はスライド不能に制御することができる。
【０１１６】
なお、その他の点の効果については、前記第１の実施の形態と同様であるので、その説明を省略する。
【０１１７】
また、本発明は前記実施の形態に限定されるものではなく、本発明の趣旨に基づいて種々変形させることが可能であり、それらを本発明の範囲から排除するものではない。
【産業上の利用可能性】
【０１１８】
本発明は、カード用コネクタに適用することができる。
【符号の説明】
【０１１９】
１    カード用コネクタ
１１    ハウジング
１１ａ    奥壁部
１１ｂ    底壁部
１１ｃ    端子保持凹部
１１ｅ    側壁部
１１ｆ    前端縁
１１ｇ    付勢部材収容部
１１ｈ    カード案内機構収容部
１１ｉ、２４ａ、３２ｆ    係止突起
１１ｊ    ガイド凸部
１１ｒ    後端縁
１３    掛止突起
１８    挿入口
２１    スライド部材
２２、３２、６２ｂ    本体部
２２ａ、３３ｂ    傾斜部
２２ｂ、３３ａ    平坦部
２２ｃ    被係止部
２２ｄ    島部
２３    カード保持部
２３ａ    前端保持部
２３ｂ    側縁保持部
２４、３２ｃ    付勢力受部
２５    スライド制御凹部
２５ａ    主凹部
２５ｂ    係合凹部
２５ｃ、３３ｃ、３５ｃ    停止部
３１    ロック部材
３１−１、３５ｂ−１、７５−１、７５ｄ−１、７５ｅ−１    第１位置
３１−２、３５ｂ−２、７５−２、７５ｄ−２、７５ｅ−２    第２位置
３２ａ、３５ｂ    係合凸部
３２ｂ    操作部
３２ｄ    前方傾斜部
３２ｅ    誘込み部
３３、３５    スライド制御部
３４    ガイド凹部
３５ａ、７５ｂ    腕部
５１、８５１    端子
５１ａ    基部
５１ｂ    接触腕部
５１ｃ、６３ｂ、８５１ｃ    接触部
５１ｄ    ソルダーテール部
６２    第１接点部材
６２ａ、６３ａ    取付部
６２ｃ    当接部
６３    第２接点部材
７１    シェル
７２    天板部
７３    掛止開口
７４    側板部
７５    係止ばね部材
７５ａ    基端部
７５ｃ    段差部
７５ｄ    係止部
７５ｅ    先端部
７６    係止ばね周辺開口
７７    ガイド片
７８    スライド部材押えばね部材
８２    第１付勢部材
８３    第２付勢部材
１０１    カード
１１１ｂ    上面
１１１ｃ    切欠部
１１１ｆ    前端
１１１ｒ    後端
８１１    ベース部材
８２２    案内孔
８２３    イジェクト部材
８２３ａ    カード受部
８２３ｂ    ロック爪部
８２３ｃ    案内ピン
８２３ｄ    係止面
８５１ｄ    テール部
８７１    カバー部材
８７５    リターンスプリング
８７６    突起片
８８２    コイルスプリング
【図１】
2014072176.tif 000003
【図２】
2014072176.tif 000004
【図３】
2014072176.tif 000005
【図４】
2014072176.tif 000006
【図５】
2014072176.tif 000007
【図６】
2014072176.tif 000008
【図７】
2014072176.tif 000009
【図８】
2014072176.tif 000010
【図９】
2014072176.tif 000011
【図１０】
2014072176.tif 000012
【図１１】
2014072176.tif 000013
【図１２】
2014072176.tif 000014
【図１３】
2014072176.tif 000015
【図１４】
2014072176.tif 000016
【図１５】
2014072176.tif 000017
【図１６】
2014072176.tif 000018
【図１７】
2014072176.tif 000019
【図１８】
2014072176.tif 000020
【図１９】
2014072176.tif 000021
【図２０】
2014072176.tif 000022
【図２１】
2014072176.tif 000023
【図２２】
2014072176.tif 000024